(57)【要約】      （修正有）【課題】ダンプトラックの通行時に、土ほこりの巻き上がりが効果的に防止されるダンプトラック用散水装置を提供する。【解決手段】ダンプトラック１の車体の一部に搭載され、散布用の水を収容する水タンク１０と、ダンプトラック１の車体に支持させ、車輪前方側に散水する散水ノズル１１と、水タンク１内の水を散水ノズル１１に供給する送水管１２とを備え、散水ノズル１１への給水を断続するリモートコントロール式の開閉弁を備える。【選択図】図１
0003189021.tif 000002
【実用新案登録請求の範囲】
【請求項１】
ダンプトラックの車体の一部に搭載され、散布用の水を収容する水タンクと、前記ダンプトラックの車体に支持させ、車輪前方側に散水する散水ノズルと、前記水タンク内の水を前記散水ノズルに供給する送水管とを備え、
前記散水ノズルへ、前記水タンクからの水を通水・遮断するリモートコントロール式の開閉弁を介して給水するようにしたことを特徴とするダンプトラック用散水装置。
【請求項２】
散水ノズルは、前記送水管に連通されて車体下にその幅方向に向けて固定した分水管の両端にそれぞれ取り換え可能に固定した散水管にその長さ方向に間隔を隔てて複数備えている請求項１に記載のダンプトラック用散水装置。
【請求項３】
分水管の両端には流量調整弁を備えた請求項２に記載のダンプトラック用散水装置。
【請求項４】
分水管と散水管との間にフイルターを内蔵したカップを介在させた請求項２又は３に記載のダンプトラック用散水装置。
【請求項５】
前記散水ノズルは、前記散水管の散水口に対して取り外し可能とし、該散水口にはこれを閉鎖するキャップを散水ノズルと取り換え使用できるようにした請求項２〜４の何れか１の請求項に記載のダンプトラック用散水装置。
【考案の詳細な説明】
【技術分野】
【０００１】
本考案は、工事現場及びこれに隣接する工事車両出入り道路等におけるダンプトラック通過時の土ほこり巻き上がりを防止するためのダンプトラック用散水装置に関する。
【背景技術】
【０００２】
一般に、土木建設工事現場では、ダンプトラックが頻繁に出入りすることが多く、未舗装の工事現場内やこれに隣接する工事現場への取り付け道路は、特に頻繁に出入りするダンプトラックの通過時に土ほこりの舞い上がりが生じ、近隣への土ほこり被害が発生する。
【０００３】
このため従来は、工事現場や工事現場専用の取り付け道路は、散水作業員が常時待機し、車両の出入り毎に、その通路に散水し、土ほこりの舞い上がりを防止している。また、舗装された取り付け道路や近隣の公道は、散水車（例えば特許文献１）や清掃車（例えば特許文献２）を定期的に運行させ、近隣への土ほこり被害を防止している。
【先行技術文献】
【特許文献】
【０００４】
【特許文献１】特開２００５−１８８１２１号公報
【特許文献２】特開２０１１−３８３０５号公報
【考案の開示】
【考案が解決しようとする課題】
【０００５】
このような従来の土ほこり防止方法では、散水のための人員や散水車をダンプトラックが出入りする工事期間中に常時待機させておく必要がありこのための経費が大きく、これが工事価格に反映され、工事費がその分高くなるという問題があった。
【０００６】
また、散水車による散水は、走行幅に散水量の斑が生じ、散水幅全域の土ほこり飛散防止を図るには散水量を多くする必要があり、水資源を多く消費するという問題があった。
【０００７】
更に、散水が不十分では十分な土ほこり飛散防止効果が得られず、散水が多すぎると泥濘化するため、散水量が適切な状態になるように作業者の目視によって常時注意している必要があった。
【０００８】
本考案は、このような従来の問題に鑑み、ダンプトラックの通行時に、特別の散水作業者や散水車を要することなく、土ほこりの巻き上がりが効果的に防止され、使用する水量も少なく、低コストで土ほこり飛散防止が可能なダンプトラック用散水装置の提供を目的としてなされたものである。
【課題を解決するための手段】
【０００９】
上述した従来の問題を解決するための請求項１に記載の考案の特徴は、ダンプトラックの車体の一部に搭載され、散布用の水を収容する水タンクと、前記ダンプトラックの車体に支持させ、車輪前方側に散水する散水ノズルと、前記水タンク内の水を前記散水ノズルに供給する送水管とを備え、前記散水ノズルへ、前記水タンクからの水を通水・遮断するリモートコントロール式の開閉弁を介して給水するようにしたことを特徴とするダンプトラック用散水装置にある。
【００１０】
請求項２に記載の考案の特徴は、請求項１の構成に加え、散水ノズルは、前記送水管に連通されて車体下にその幅方向に向けて固定した分水管の両端にそれぞれ取り換え可能に固定した散水管にその長さ方向に間隔を隔てて複数備えていることにある。
【００１１】
請求項３に記載の考案の特徴は、請求項２の構成に加え、分水管の両端には流量調整弁を備えたことにある。
【００１２】
請求項４に記載の考案の特徴は、請求項２又は３の構成に加え、分水管と散水管との間にフイルターを内蔵したカップを介在させたことにある。
【００１３】
請求項５に記載の考案の特徴は、請求項２〜４の何れか１の請求項の構成に加え、前記散水ノズルは、前記散水管の散水口に対して取り外し可能とし、該散水口にはこれを閉鎖するキャップを散水ノズルと取り換え使用できるようにしたことにある。
【考案の効果】
【００１４】
本考案のダンプトラック用散水装置は請求項１に記載のように、ダンプトラックの車体の一部に搭載され、散布用の水を収容する水タンクと、前記ダンプトラックの車体に支持させ、車輪前方側に散水する散水ノズルと、前記水タンク内の水を前記散水ノズルに供給する送水管とを備えたことにより、ダンプトラックの走行によって土ほこりが舞い上がるような状況下において、ダンプトラックの車輪前方に散水しつつ走行できるため、作業者による散水や、定期的な散水車の運行を要しなくなり、その分の経費が節減できる。
【００１５】
また、前記散水ノズルへ、前記水タンクからの水を通水・遮断するリモートコントロール式の開閉弁を介して給水するようにしたことにより、ダンプトラック運転者が必要と判断した時だけ散水することができ、散水量を必要な量のみとすることが容易となり、経済性が高く、泥濘化も防止できる。
【００１６】
本考案は請求項２に記載のように、散水ノズルは、前記送水管に連通されて車体下にその幅方向に向けて固定した分水管の両端にそれぞれ取り換え可能に固定した散水管にその長さ方向に間隔を隔てて複数備えていることにより、散水ノズルの数や散水管の長さを違えた散水管を取り換え使用できるため、車幅の異なったダンプトラックに対し、適正な散水効果のある散水幅に調節できる。
【００１７】
本考案は、請求項３に記載のように、分水管の両端には流量調整弁を備えたことにより、左右の車輪前方の内、必要な車輪側にのみの散水や、左右両側での散水量を必要に応じて変更することができ、路面の状況に応じて土ほこり防止のための適正な散水が可能となる。
【００１８】
本考案は請求項４に記載のように、分水管と散水管との間にフイルターを内蔵したカップを介在させたことにより、散水ノズルの目詰まりを事前に防止できる。
【００１９】
本考案は請求項５に記載のように、散水ノズルは、前記散水管の散水口に対して取り外し可能とし、該散水口にはこれを閉鎖するキャップを散水ノズルと取り換え使用できるようにしたことにより、路面の土ほこりが舞い上がる状況に対応して複数ある散水ノズルを必要な個所及び数に限定して使用することができる。
【図面の簡単な説明】
【００２０】
【図１】本考案の実施の概略構成を示す側面図である。
【図２】本考案の散水部分の概略構成を示す正面図である。
【図３】同上の散水管連結部分を示す縦断面図である。
【図４】同上の散水ノズル部分を示す縦断面図である。
【考案を実施するための最良の形態】
【００２１】
本考案に係るダンプトラック用散水装置の実施例を図面について説明する。
【００２２】
図において符号１はダンプトラックであり、２は車台、３は前輪、４は後輪、５はキャビン、６は荷台であり油圧によって前側が上昇する方向に傾斜させることによって積み荷を滑落させるダンプ構造を備えている。
【００２３】
本考案に係るダンプトラック用散水装置は、ダンプトラック１の車体の一部に搭載され、散布用の水を収容する水タンク１０と、ダンプトラック１の車体に支持させ、車輪前方側の地表に向けて散水する散水ノズル１１と、水タンク１０内の水を前記散水ノズル１１に供給する送水管１２とを備え、水タンク１０内の水を散水ノズル１１から車輪直前の地表面上に散水できるようにしている。
【００２４】
水タンク１０は、一例として荷台６の前板６ａの前面側、即ち荷台前方側に固定する。この他、荷台６とキャビン５の間の車台上等、適宜の場所を選定することができる。尚水タンク１０設置高さは、散水ノズル１１より高い位置とすることにより、ポンプを使用せずに自然流下により後述する散水が可能となる。尚、散水のためにポンプを使用することとした場合には、車台２の下面に設置することも可能である。
【００２５】
前輪３及び後輪４の前方側の車台下面には、車台２の幅方向に向けて分水管１５が固定されている。この分水管１５は複数の支持金具１６によって車台２下に吊下げ支持されており、その両端は、後輪４の内側より外側に出ない長さとなっている。
【００２６】
分水管１５は、その全長内の何れかの位置、本例では中央部分に給水口管１５ａが逆Ｔ字配置に連通され、これにリモートコントロール式の開閉弁１７が備えられている。本例では電磁式開閉弁を使用し、キャビン５内の運転席にて操作できるようになっている。
【００２７】
開閉弁１７の上流側に前述した送水管１２が連結されている。この送水管１２は、車台２上を荷台後部まで延長され、フレキシブルな屈曲管部１２ａを介して前方側に折り返し、荷台６の側面下を通して水タンク１０の下面に連通させている。尚、この送水管１２は、鋼管、塩化ビニルなどの樹脂管、或は全体がフレキシブルなゴム又は合成樹脂製のホースが使用できる。
【００２８】
分水管１５の両端には流量調整弁２０が設置されている。この流量調整弁は作業者が手動で個別に調整するものであってもよく、運転席において流路の開き度を０から１００、即ち全閉状態から全開状態まで調節できるリモートコントロール式であってもよい。
【００２９】
両流量調整弁２０の下流側には、それぞれ散水管２１が分水管延長方向に連結されている。この連結部にはフイルター付カップ２２が介在されている。このカップ２２は筒状をなし、内部にフイルター２４が取り換え可能に収容され、両端部外周に形成したネジ部２２ａを、分水管１５の端部内面に形成したネジ部１５ｂ及び散水管２１の端部内面に形成したネジ部２１ａに螺合させることによって固定している。分水管１５の端部と散水管２１の端部の接合部間には止水パッキン２３を介在させ水漏れを防止している。
【００３０】
散水管２１には複数の、本例では各々３個の散水口２５が形成されている。この各散水口２５は、散水管２１内に連通させて突出されており、その外周に散水ノズル１１を螺合させることによって取り外し可能に取り付けられている。
【００３１】
散水ノズル１１は図２に示すように、散水口２５からの散水ａを横向きの扇形状、或は円錐形状に下側が広がって散水される構造となっており、地表面において、隣り合う散水ノズルからの散水が接触し合う程度の広がりを持って散水できる構造となっているとともに前輪３の幅のみでなく、後輪４の幅に散水されるように散水ノズル１１の数、取付位置及び散水ａの広がりを選定している。
【００３２】
散水口２５には、散水ノズル１１に変えて閉鎖用のキャップ２７が嵌めあわされるようになっており、必要に応じて使用する散水ノズル１１の数を変更できるようになっている。
【００３３】
上述した構造のダンプトラック用散水装置は、ダンプトラック１の走行によって土ほこりが舞い上がるような状況下において、ダンプトラック１の前輪３の前方側に散水できるものであるため、ダンプトラックを走行させつつ散水でき、従来行っていた作業者による散水や、定期的な散水車の運行を要しなくなり、その分の経費が節減できる。
【００３４】
また、散水は、リモートコントロール式の開閉弁１７を介して給水することにより行うことにより、必要なときにだけ散水することができ、散水量を必要な量のみとすることが容易となり、経済性が高く、泥濘化も防止できる。
【００３５】
更に、散水ノズル１１を長さ方向に間隔を隔てて設置した散水管２１を、車体に固定した分水管１５の両端にそれぞれ取り換え可能に固定しているため、散水ノズル１１の数や長さを違えた散水管２１に取り換え使用できる。
【００３６】
更に、分水管１５の両端に備えた流量調整弁２０をそれぞれ個別に操作して、左右の散水管２１への水量を調節することにより、必要な車輪側にのみの散水や、左右両側での散水量を必要に応じて変更することができる。
【００３７】
更に、分水管１５と散水管２１との間にフイルター２４を内蔵したカップ２２を介在させたことにより、散水ノズル１１の目詰まりを事前に防止できる。
【００３８】
更に、路面の土ほこりが舞い上がる状況に対応し、散水口２５の散水ノズル１１を、キャップ２７に取り換え使用し、散水ノズル１１を必要な個所及び数に限定して使用することができる。
【００３９】
尚、上述した実施例では、前輪３の前方側及び後輪４の前方側のそれぞれに散水ノズル１１を配しているが、路面の状況に応じ、前後輪３，４の両輪前方側の散水ノズル１１、或は前輪３又は後輪４の何れかの前方側の散水ノズル１１を使用する。
また、車両の大きさその他の条件に応じ、前輪３の前方側のみ又は後輪４の前方側のみに散水ノズル１１を配することとしてもよい。
【符号の説明】
【００４０】
ａ  散水
１  ダンプトラック
２  車台
３  前輪
４  後輪
５  キャビン
６  荷台
６ａ  前板
１０  水タンク
１１  散水ノズル
１２  送水管
１２ａ  屈曲管部
１５  分水管
１５ａ  給水口管
１５ｂ  ネジ部
１６  支持金具
１７  開閉弁
２０  流量調整弁
２１  散水管
２１ａ  ネジ部
２２  カップ
２２ａ  ネジ部
２３  止水パッキン
２４  フイルター
２５  散水口
２７  キャップ
【図１】
0003189021.tif 000003
【図２】
0003189021.tif 000004
【図３】
0003189021.tif 000005
【図４】
0003189021.tif 000006